(57)【特許請求の範囲】
【請求項１】
遊技機の各種関連設備がそれぞれ収納される上段ユニットと下段ユニットの間に、複数の遊技機が列を成す中段ユニットを配置して成る遊技機島であって、
前記上段ユニットは、島長手方向に延びる支持基板と、該支持基板上に所定間隔おきに島長手方向と略直交するよう垂設される複数の仕切板と、各仕切板間を連結するよう架設される複数のパイプ部材とを具備するとともに、
前記上段ユニットの前記支持基板には、前記各遊技機の上端に突設した被嵌合レールが遊技機正面に対して前後方向に回動可能で、かつ島長手方向にも移動可能に内嵌する吊下レールが設けられ、
該吊下レールは、前記支持基板に遊技機正面から背面側に向かう島奥行方向にスライド可能に装着された上方ブラケットに対して、高さ位置を調節できるようねじ軸を介して吊下げられ、該上方ブラケットには、上下に進退可能なねじ状であって前記遊技機の上端の前端縁側を押圧することにより前記遊技機の傾き角度を調整する角度調整部材が螺合し、
前記下段ユニットは、島長手方向に延びる箱型の貯留タンクと、該貯留タンクの側壁に添うようフロア上に立設される腰部支持板と、該腰部支持板の上端に略水平に設けられ、前記貯留タンクの側壁上端にも当接し支持される天板とを具備して成り、
前記中段ユニットは、前記天板上に所定間隔おきに立設されて前記支持基板を下から支える複数の中段支持体と、該中段支持体を間にして背中合わせに前後二列に配設される複数の遊技機とを具備して成ることを特徴とする遊技機島。
【発明の詳細な説明】
【０００１】
【発明の属する技術分野】
本発明は、遊技機の各種関連設備がそれぞれ収納される上段ユニットと下段ユニットの間に、複数の遊技機が列をなす中段ユニットを配置して成る遊技機島に関する。ここで遊技機とは主としてパチンコ機を指すものである。
【０００２】
【従来の技術】
従来、図６及び図７に示すような遊技機島１を構築する場合には、遊技店内の配置場所にて、先ずフレーム材から島全体の骨格をなす枠組を島全体の高さに合わせて組み上げる。それから、島下段をなす貯留タンク（図示せず）や腰板２、島中段をなす複数のパチンコ機３や球貸し機４、それに島上段をなす給配樋５や幕板６等の関連設備を、順次枠組内外に組付けるようにして施工していた。
【０００３】
島中段をなすパチンコ機３や球貸し機４の取付けは、枠組内にそれぞれ予め位置決めされた所定スペース毎に、パチンコ機３等を島前方より嵌込むようしてボルト等で固定していた。このような島中段の上には、パチンコ球を各パチンコ機３等に供給する給配樋５を含む島上段が一体的に構築されている。
【０００４】
【発明が解決しようとする課題】
しかしながら、前述したような従来の遊技機島１では、その島全体の大きさに相当する枠組を個々のフレーム材から総て施工現場で組み上げるので、フレーム材同士の連結箇所が多く精度出しにも手間を要し、島の構築に非常に時間がかかり、コストを低減する際の大きな支障になるという問題点があった。
【０００５】
特に島上段側への関連設備の組付けは高さがあるため作業しずらく、例えば給配樋はその傾斜角度の設定調整が煩雑であり、しかも後から島全長や球供給速度に応じて傾斜角度を再度調整し直すことは非常に困難であった。また、島上段へ配線される各種信号線は、通常は剥き出しのまま単に束ねられて適所に止着されるだけなので、他の関連設備の組付け時に誤って引っ掛けたり切断してしまうおそれもあった。
【０００６】
島中段側へのパチンコ機３等の組付けは、パチンコ機３の横幅や高さ、背面側での構成部品の出っ張り具合等がメーカーや機種によって異なるため、最初から最良の位置にパチンコ機３を位置決めして枠組内に組付けるのは難しく、定形的な枠組がかえって組付け作業の邪魔になるような場合もあり、必要な作業スペースを十分に確保できないことも多かった。また、島下段側においても、前記枠組にいちいち天板や腰板を位置決めしつつ取付けていた。
【０００７】
本発明は、以上のような従来技術の有する問題点に着目してなされたもので、島全体の構築作業が極めて簡単であり、工期の大幅な短縮によりコストダウンを図ることができる遊技機島を提供することを目的としている。
【０００８】
【課題を解決するための手段】
前述した目的を達成するための本発明の要旨とするところは、以下の項に存する。
請求項記載の発明では、
遊技機（１１）の各種関連設備がそれぞれ収納される上段ユニット（１０Ａ）と下段ユニット（１０Ｃ）の間に、複数の遊技機（１１）が列を成す中段ユニット（１０Ｂ）を配置して成る遊技機島（１０）であって、
前記上段ユニット（１０Ａ）は、島長手方向に延びる支持基板（２６）と、該支持基板（２６）上に所定間隔おきに島長手方向と略直交するよう垂設される複数の仕切板（２０）と、各仕切板（２０）間を連結するよう架設される複数のパイプ部材（３０）とを具備するとともに、
前記上段ユニット（１０Ａ）の前記支持基板（２６）には、前記各遊技機（１１）の上端に突設した被嵌合レール（１１ａ）が遊技機（１１）正面に対して前後方向に回動可能で、かつ島（１０）長手方向にも移動可能に内嵌する吊下レール（１４）が設けられ、
該吊下レール（１４）は、前記支持基板（２６）に遊技機（１１）正面から背面側に向かう島（１０）奥行方向にスライド可能に装着された上方ブラケット（１３）に対して、高さ位置を調節できるようねじ軸を介して吊下げられ、該上方ブラケット（１３）には、上下に進退可能なねじ状であって前記遊技機（１１）の上端の前端縁側を押圧することにより前記遊技機（１１）の傾き角度を調整する角度調整部材（１５）が螺合し、
前記下段ユニット（１０Ｃ）は、島（１０）長手方向に延びる箱型の貯留タンク（６３）と、該貯留タンク（６３）の側壁に添うようフロア上に立設される腰部支持板（６２）と、該腰部支持板（６２）の上端に略水平に設けられ、前記貯留タンク（６３）の側壁上端にも当接し支持される天板（６１）とを具備して成り、
前記中段ユニット（１０Ｂ）は、前記天板（６１）上に所定間隔おきに立設されて前記支持基板（２６）を下から支える複数の中段支持体（１６，７０）と、該中段支持体（１６，７０）を間にして背中合わせに前後二列に配設される複数の遊技機（１１）とを具備して成ることを特徴とする遊技機島（１０）に存する。
【００１４】
次に前述した解決手段に基づく作用を説明する。
請求項記載の遊技機島（１０）によれば、上段ユニット（１０Ａ）と下段ユニット（１０Ｃ）の間に中段ユニット（１０Ｂ）を配置して成り、上段ユニット（１０Ａ）及び下段ユニット（１０Ｃ）は、それぞれ独立の構造体として別々に工場等で規格化して量産でき、また遊技店等の施工現場へは各ユニット毎に容易に搬入でき、施工現場では各ユニットを順次積み上げるようにして、遊技機島（１０）全体を簡易に構築できる。
【００１５】
上段ユニット（１０Ａ）は、支持基板（２６）と、その上に所定間隔おきに垂設される複数の仕切板（２０）と、各仕切板（２０）間に架設されるパイプ部材（３０）とから主として組立てられ、ユニットとしても島上段としても必要な強度を得ることができる。下段ユニット（１０Ｃ）は、箱型の貯留タンク（６３）と、その側壁に添うようフロア上に立設される腰部支持板（６２）と、該腰部支持板（６２）の上端に設けられ前記貯留タンク（６３）の側壁上端にも当接し支持される天板（６１）とから主として組立てられ、比較的少ない部材で構成されるが、部材同士を密接に係合させることで島全体を支えるのに十分な剛性を維持できるユニットとなる。
【００１６】
また、中段ユニット（１０Ｂ）は、後付けする遊技機（１１）を含むため予め総て一体化される構成ではないが、前記天板（６１）上に立設され前記支持基板（２６）を下から支える複数の中段支持体（１６，７０）により、下段ユニット（１０Ｃ）と上段ユニット（１０Ａ）との間に極めて簡易に、前後二列に並ぶ各遊技機（１１）の取付けスペースを確保できる。この中段支持体（１６，７０）は、あくまで背中合わせに並ぶ前後の遊技機（１１）列間に配されるので、たとえ各遊技機（１１）の横幅や背面側の出っ張り具合等が多少異なっても、従来のフレーム材から成る定形的な枠組の如く、枠組自体が遊技機（１１）の組付け作業に支障を来すおそれはなく、必要な作業スペースも十分確保できる。
更に、前記上段ユニット（１０Ａ）の前記支持基板（２６）には、前記各遊技機（１１）の上端に突設した被嵌合レール（１１ａ）が遊技機（１１）正面に対して前後方向に回動可能で、かつ島（１０）長手方向にも移動可能に内嵌する吊下レール（１４）が設けられ、
該吊下レール（１４）は、前記支持基板（２６）に遊技機（１１）正面から背面側に向かう島（１０）奥行方向にスライド可能に装着された上方ブラケット（１３）に対して、高さ位置を調節できるようねじ軸を介して吊下げられ、該上方ブラケット（１３）には、上下に進退可能なねじ状であって前記遊技機（１１）の上端の前端縁側を押圧することにより前記遊技機（１１）の傾き角度を調整する角度調整部材（１５）が螺合しているので、各遊技機（１１）の前後方向および島（１０）長手方向に容易に移動できるとともに、各遊技機（１１）の高さ位置の調整および前記被嵌合レール（１１ａ）を回動中心とした微妙な傾き角度を調整することができる。
【００２２】
【発明の実施の形態】
以下、図面に基づき本発明を代表する各種実施の形態を説明する。
図１〜図４は本発明の第１の実施の形態を示している。
本実施形態に係る遊技機島１０は、遊技機としてのパチンコ機１１の各種関連設備がそれぞれ収納される上段ユニット１０Ａと下段ユニット１０Ｃの間に、各パチンコ機１１が列をなす中段ユニット１０Ｂを配置して成る。
【００２３】
図１及び図２に示すように、上段ユニット１０Ａは、島長手方向に互いに平行に延びる略水平な支持基板２６，２６と、該支持基板２６，２６上に所定間隔おきに島長手方向と略直交するよう垂設される複数の仕切板２０，２０…と、各仕切板２０間を連結するよう架設される複数のパイプ部材３０，３０とを主要骨組として、その周囲に上面板２５や内側壁２７、それに外壁をなす幕板２８を予め組付けて構成されている。
【００２４】
更に詳しく言えば、各仕切板２０の略中央には、給配樋３２が上下に移動可能に挿通する中空部２１が形成されている。また、各仕切板２０には、前記中空部２１に挿通させた給配樋３２を所望の高さ位置に支持するための樋支持部材２３が装着されている。なお、給配樋２０の途中箇所には、図示省略したが各パチンコ機１１及び各球貸機１９に対応した配給シュートと称される球の供給部材が取付けられている。
【００２５】
各パイプ部材３０には、それぞれ長手方向に延びるスリット３１が形成され、該スリット３１よりパイプ部材３０内に遊技関連設備の各種信号線が束ねられるように収納されている。また、上段ユニット１０Ａ内には、各パチンコ機１１にパチンコ球を供給する前記給配樋３２の他、貨幣識別装置４０や貨幣搬送装置５０等の関連設備も組付けられている。
【００２６】
貨幣識別装置４０は、紙幣や硬貨の投入口４１（図４参照）に投入された紙幣や貨幣を磁気・光方式で特定する各種センサの他、ＣＰＵ，ＲＡＭ，ＲＯＭ等を含むマイクロコンピューターを備えている。貨幣搬送装置５０は、前記貨幣識別装置４０から排出された紙幣や硬貨を搬送するために、島長手方向に延びるように張設されるコンベヤベルトを具備して成る。
【００２７】
図１及び図２に示すように、下段ユニット１０Ｃは、島長手方向に延びる箱型の貯留タンク６３と、該貯留タンク６３の側壁に添うようフロア上に立設される前後の腰部支持板６２，６２と、各腰部支持板６２の上端に略水平に設けられ、前記貯留タンク６３の側壁上端６３ａにも当接し支持される前後の天板６１，６２とを具備して成る。天板６１と腰部支持板６２は、合成樹脂等により一体成形されている。貯留タンク６３は各パチンコ機１１から排出される球を受け入れるよう上面側が大きく開口している。
【００２８】
貯留タンク６３は複数に分割されたタンクブロックを長手方向に連結して構成してもよく、始めから所定の大きさの一つのタンクとして一体成形してもよい。貯留タンク６３内のパチンコ球は島中央側へと傾斜した底部を流下し、研磨揚送装置８０（図３参照）の下端に集まるように設定されている。なお、貯留タンクの側壁と腰部支持板とを一体化させて形成してもよい。
【００２９】
図１〜図３に示すように、中段ユニット１０Ｂは、前記天板６１上に所定間隔おきに立設されて前記支持基板２６を下から支える複数の中段支持体１６，１６…と、各中段支持体１６を間にして背中合わせに前後二列に配設される複数のパチンコ機１１とから構成されている。ここで各パチンコ機１１は、最初から中段支持体１６と一体のユニットをなすものではなく、中段支持体１６の配設後に島側に後付けされて中段ユニット１０Ｂを構成するようになっている。
【００３０】
中段支持体１６は、数枚の板材を重ね合わせた状態でプレス加工して形成されるものである。詳しく言えば本実施形態では、支持脚部１７を含むベースとなる下板材１６ａに、支持受部１８を含む補強用の上板材１６ｂを重ね合わせてプレス加工して成るが、板材の具体的な枚数や形状は図示したものに限定されるわけではない。支持脚部１７は下段ユニット１０Ｃの天板６１上に設置される部位であり、一方の支持受部１８は支持基板２６に係合して上段ユニット１０Ａを下から支える部位である。
【００３１】
所定間隔に並ぶ各中段支持体１６は、それらの間に架設された複数のパイプ部材１８，１８…によって互いに連結されている。パイプ部材１８には、前記上段ユニット１０Ａのパイプ部材３０と同様に各種信号線が収納されている。また本実施形態では、各中段支持体１６の支持脚部１７は、天板６１上にて所定範囲で島長手方向及び島奥行方向に移動可能に設置され、適宜位置調整できると共に図示省略した簡易ロック機構で固定できるように成っている。なお、中段支持体１６には、各パチンコ機１１を島奥行方向に動力で移動させる駆動ユニット等を組付けるようにしてもよい。
【００３２】
中段支持体１６を間にした前後の天板６１，６１上には、各パチンコ機１１の下端が所定範囲で前後左右に移動可能に支持される載置レール１２が設けられている。図１に示すように、載置レール１２の奥側にはパチンコ機１１下端が島長手方向に移動可能に嵌合する突起１２ａが突設されており、また載置レール１２の手前側は球箱台となっている。また、前述した上段ユニット１０Ａの支持基板２６には、各パチンコ機１１の上端に突設した被嵌合レール１１ａが前後方向に回動可能かつ島長手方向にも移動可能に内嵌する吊下レール１４が設けられている。
【００３３】
吊下レール１４は略Ｃ字形断面であり図１の紙面に垂直に延びており、かかる吊下レール１４は、支持基板２６に島奥行方向にスライド可能に装着された上方ブラケット１３に対して、高さ位置を調整できるようねじ軸を介して吊下げられている。更に上方ブラケット１３には、上下に進退可能なねじ状の角度調整部材１５が螺合している。この角度調整部材１５は、各パチンコ機１１上端の前端縁側を適度に押圧することにより、前記被嵌合レール１１ａを回動中心とした各パチンコ機１１の微妙な傾き角度を調整するための部材である。
【００３４】
載置レール１２の下面にはスプリング付きベアリング（図示せず）が取付けられており、かかる載置レール１２は、天板６１上を島長手方向及び島奥行方向に移動できるようになっている。また、スプリングの弾性変形により、載置レール１２上のパチンコ機１１下端は、その傾斜角度に応じて略水平面に対して適宜変位できるように設定されている。このように載置レール１２と吊下レール１４との間にパチンコ機１１は装着されるが、前記上段ユニット１０Ａの荷重は、中段支持体１６のみならず前後二列に配設された各パチンコ機１１でも受けるように構成されている。
【００３５】
本実施形態におけるパチンコ機１１は、ハンドルの回転操作によってパチンコ球を盤面上に打ち出し、打球の入賞を競い楽しむものであり、正面側には球を機内に導入する前皿や球貯留用の予備皿等が設けられている。また、図４に示すように、各パチンコ機１１間には球貸し機１１Ａが介装されている。この球貸し機１１Ａは、前述した貨幣識別装置４０からの信号を受けた際に、相当数の球を計数しつつ払い出す関連機器である。
【００３６】
次に前述した第１の実施の形態の作用を説明する。
図１に示すように、本実施形態に係る遊技機島１０によれば、上段ユニット１０Ａと下段ユニット１０Ｃの間に中段ユニット１０Ｂを配置して成り、上段ユニット１０Ａ及び下段ユニット１０Ｃは、それぞれ独立の構造体として別々に工場等で規格化して量産できる。具体的には、上段ユニット１０Ａは、一対の支持基板２６，２６と、その上に所定間隔おきに垂設される複数の仕切板２０，２０…と、各仕切板２０間に架設されるパイプ部材３０とから主として組立てられ、ユニットとしても島上段としても必要な強度を備える。
【００３７】
また、下段ユニット１０Ｃは、箱型の貯留タンク６３と、その側壁に添うようフロア上に立設される前後の腰部支持板６２，６２と、各腰部支持板６２の上端に設けられ貯留タンク６３の側壁上端６３ａにも当接し支持される前後の天板６１，６１とから主として組立てられる。このように下段ユニット１０Ｃは比較的少ない部材で構成されるが、構成部材同士を密接に係合させることで、島全体を支えるのに十分な剛性を維持できるユニットとなる。
【００３８】
以上のように上段ユニット１０Ａや下段ユニット１０Ｃは、搬入に十分耐えうる剛性を備えるように予め組立てられており、遊技店等の施工現場へは各ユニット毎に容易に搬入でき、施工現場では各ユニットを順次積み上げるようにして、島全体を簡易に構築することができる。
【００３９】
また、中段ユニット１０Ｂは、後付けするパチンコ機１１を含むため予め総て一体化される構成ではないが、天板６１上に立設され支持基板２６を下から支える複数の中段支持体１６，１６…により、下段ユニット１０Ｃと上段ユニット１０Ａとの間に極めて簡易に、前後二列に並ぶ各パチンコ機１１の取付けスペースを確保することができる。
【００４０】
図２に示すように、各中段支持体１６は、あくまで背中合わせに並ぶ前後のパチンコ機１１列間に配されるので、たとえ各パチンコ機１１の横幅や背面側の出っ張り具合等が多少異なっても、従来のフレーム材から成る定形的な枠組の如く、枠組自体がパチンコ機１１の組付け作業に支障を来すおそれはなく、必要な作業スペースも十分確保できる。しかも、パチンコ機１１の交換や関連設備の増減等の際に遊技機島１０の分解・組み立てを効率的に行なうことができる。
【００４１】
各中段支持体１６は数枚の板材を重ね合わせてプレス加工により極めて簡単に形成され、また、各中段支持体１６間には複数のパイプ部材１８が架設されるので、剛性を十分に高めることができると共に各中段支持体１６を予め一体化しておくことができ、天板６１上への設置も容易である。
【００４２】
各パチンコ機１１を取付ける際、とりあえず上段ユニット１０Ａを、中段支持体１７の上支持部１７ｂに対して少し上方に離隔させて作業スペースを確保する。そして、各パチンコ機１１の上端にある被嵌合レール１１ａを、吊下げられた上段ユニット１０Ａ側の吊下レール１４に嵌合させ、また、各パチンコ機１１の下端を天板６１上の載置レール１２上に設置すればよい。このとき中段支持体１６は、天板６１上を島長手方向及び島奥行方向に移動可能であるため、パチンコ機１１の設置時に中段支持体１６が邪魔にならないように適宜移動させたり、また中段支持体１６を移動させつつ、パチンコ機１１の取付け位置を適宜調整することもできる。
【００４３】
更に、パチンコ機１１上端の被嵌合レール１１ａは、吊下レール１４に嵌合した状態でレール長手方向に移動可能であり、パチンコ機１１下端も載置レール１２上を島長手方向に移動できる。しかも、上方ブラケット１３は、上段ユニット１０Ａの支持基板２６に対して島奥行方向に一定範囲でスライド可能であり、載置レール１２は天板６１上を島奥行方向に移動できる。従って、各パチンコ機１１をそれぞれ島奥行方向における最適な位置に調整することも容易である。
【００４４】
図２に示すように、上段ユニット１０Ａと下段ユニット１０Ｃとの間に、中段ユニット１０Ｂが配設された状態では、上段ユニット１０Ａの荷重を、各中段支持体１６のみならず前後二列に配設された複数のパチンコ機１１でも受けるように構成したから、上段ユニット１０Ａの荷重が分散される分、中段支持体１６に過度に荷重が集中するのを防ぐことができ、島全体の剛性を高めることができる。また、中段支持体１６を簡略化して構成しても、十分に上段ユニット１０Ａを支えることができる。
【００４５】
また、本実施形態に係る遊技機島１０によれば、上段ユニット１０Ａの各仕切板２０の略中央を切り欠いて給配樋３２が上下に移動可能に挿通する中空部２１を形成し、各仕切板２０に給配樋３２を所望の高さに支持する樋支持部材２３を設けたから、上段ユニット１０Ａ内に給配樋３２を長手方向に延びるように容易に配設でき、また樋支持部材２３によって給配樋３２の傾斜角度を容易に適宜調整することが可能となる。
【００４６】
しかも、各パイプ部材３０に長手方向に延びるスリット３１を形成し、該スリット３１よりパイプ部材３０内に各種信号線を束ねるように収納するから、上段ユニット１０Ａ内で信号線が徒にかさばることがないように配線でき、他の設備に引っ掛かったりすることがなく、切断事故を確実に防止できる。
【００４７】
図５は本発明の第２の実施の形態を示している。
本実施形態に係る遊技機島１０ａの構成は、前述の第１実施形態に係る遊技機島１０とほぼ共通するが、中段ユニット１０Ｂを構成する複数の中段支持体７０の構成が異なる。すなわち、本実施形態における各中段支持体７０は、一本の棒材７１の下端に天板６１上に立設させる支持脚部７２を設け、上端に支持基板２６を支持する支持受部７３を設けて成る。支持脚部７２と支持受部７３とは板材からプレス加工して形成してもよい。
【００４８】
かかる中段支持体７０ではより簡単でシンプルな構造となり、製造容易であり、また棒材７１の部位が細巾となるため、余分な設置スペースをとることがなく、特にパチンコ機１１の設置時や入替時にパチンコ機１１に干渉せず作業の妨げとなることもない。なお、棒材７１とは中実の通常の棒材のみならず、中空のパイプ材としてもよい。なお、第１実施形態と同種の部位については同一符号を付し、重複した説明は省略する。
【００４９】
なお、本発明に係る遊技機島の具体的構成は、図示した実施の形態に限定されるものではない。例えば、中段支持体を天板上に動かぬように最初から固定してもよい。また、中段支持体を長手方向に伸縮自在に構成し、その高さを調整できるようにしてもよい。更に、中段支持体の支持受部の一部をパチンコ機の上端側に係合させ、該中段支持体にかかる荷重をパチンコ機側でも受けるように構成したもよい。
【００５０】
【発明の効果】
本発明に係るの遊技機島によれば、上段ユニット及び下段ユニットを、それぞれ独立の構造体として別々に工場等で規格化して量産でき、また遊技店等の施工現場へは各ユニット毎に容易に搬入でき、施工現場では各ユニットを順次積み上げるようにして、島全体を簡易に構築でき、工期の大幅な短縮によりコストダウンを十分に図ることができる。
特に中段ユニットでは、下段ユニット上に立設され上段ユニットを下から支える複数の中段支持体により、極めて簡易に前後二列に並ぶ各遊技機の取付けスペースを確保でき、遊技機の組付け作業に支障を来すおそれはなく、必要な作業スペースも十分確保することができる。
【００５１】
更に、前記上段ユニットの支持基板には、各遊技機の上端に突設した被嵌合レールが遊技機正面に対して前後方向に回動可能で、かつ島長手方向にも移動可能に内嵌する吊下レールが設けられ、
該吊下レールは、前記支持基板に遊技機正面から背面側に向かう島奥行方向にスライド可能に装着された上方ブラケットに対して、高さ位置を調節できるようねじ軸を介して吊下げられ、該上方ブラケットには、上下に進退可能なねじ状であって遊技機の上端の前端縁側を押圧することにより遊技機の傾き角度を調整する角度調整部材が螺合しているので、各遊技機の前後方向および島長手方向に容易に移動できるとともに、各遊技機の高さ位置の調整および被嵌合レールを回動中心とした微妙な傾き角度を調整することができる。
【図面の簡単な説明】
【図１】本発明の第１の実施形態に係る遊技機島の上段ユニット、中段ユニット、及び下段ユニットを互いに分解した状態を示す端面図である。
【図２】本発明の第１の実施形態に係る遊技機島の内部構造を概略的に示す端面図である。
【図３】本発明の第１の実施形態に係る遊技機島の上段ユニット及び中段ユニットの内部構造を示す正面図である。
【図４】本発明の第１の実施形態に係る遊技機島を示す正面図である。
【図５】本発明の第２の実施形態に係る遊技機島の内部構造を概略的に示す端面図である。
【図６】従来の遊技機島を示す正面図である。
【図７】従来の遊技機島を示す端面図である。
【符号の説明】
１０，１０ａ…遊技機島
１０Ａ…上段ユニット
１０Ｂ…中段ユニット
１０Ｃ…下段ユニット
１１…パチンコ機（遊技機）
１６，７０…中段支持体
２０…仕切板
２６…支持基板
６１…天板
６２…腰部支持板
６３…貯留タンク
【図１】
0004040703.tif 000002
【図２】
0004040703.tif 000003
【図３】
0004040703.tif 000004
【図４】
0004040703.tif 000005
【図５】
0004040703.tif 000006
【図６】
0004040703.tif 000007
【図７】
0004040703.tif 000008